(57)【要約】【課題】  電子機器間の通信接続状態を、ユーザに、直感的にわかりやすくすることが課題になっていた。【解決手段】  実施形態の電子機器は、外部機器との通信が接続可能な接続部を備える。  また、前記外部機器と同期していることを示す表示の表示指示を受信した場合に、前記外部機器から出力された同期データを受信し、時間差からこの受信した同期データ間のインターバルを取得するインターバル取得部を備える。  また、予め設定されている表示を前記取得されたインターバルで変化しているように出力する出力部を備える。【選択図】  図３
2013207425.tif 000002
【特許請求の範囲】
【請求項１】
外部機器との通信が接続可能な接続部と、
前記外部機器と同期していることを示す表示の表示指示を受信した場合に、前記外部機器から出力された同期データを受信し、時間差からこの受信した同期データ間のインターバルを取得するインターバル取得部と、
予め設定されている表示を前記取得されたインターバルで変化しているように出力する出力部を備える電子機器。
【請求項２】
前記予め設定されている表示を予め設定されているインターバルで変化しているように出力した後に、前記取得されたインターバルで変化しているように出力する請求項１に記載の電子機器。
【請求項３】
前記予め設定されている表示を予め設定されているインターバルで変化しているように出力した後の、前記取得されたインターバルで変化するような出力は、予め設けられた所定の遅延時間後に出力される請求項２に記載の電子機器。
【請求項４】
前記外部機器に予め設定されている表示の出力タイミングと前記電子機器に予め設定されている表示の出力タイミングは、実質的に同じタイミングで出力される請求項１に記載の電子機器。
【請求項５】
前記外部機器に予め設定されている表示の出力タイミングと前記電子機器に予め設定されている表示の出力タイミングは、実質的に交互のタイミングで出力される請求項１に記載の電子機器。
【請求項６】
通信が接続可能な外部機器と同期していることを示す表示の表示指示を受信するステップと、
前記表示指示を受信した場合に、前記外部機器から出力された同期データを受信し、時間差からこの受信した同期データ間のインターバルを取得するステップと、
予め設定されている表示を前記取得されたインターバルで変化しているように出力するステップを備える電子機器の制御方法。
【請求項７】
通信が接続可能な外部機器と同期していることを示す表示の表示指示を受信するステップと、
前記表示指示を受信した場合に、前記外部機器から出力された同期データを受信し、時間差からこの受信した同期データ間のインターバルを取得するステップと、
予め設定されている表示を前記取得されたインターバルで変化しているように出力するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、例えば、電子機器と他の電子機器が無線等で接続され、電子機器間の通信が可能になってきている。
【０００３】
しかし、上記のように、例えば、電子機器と他の電子機器が無線等で接続されるため、電子機器間の通信接続状態がわかりにくいことが問題になっていた。
【０００４】
このため、電子機器間の通信接続状態を、ユーザに、直感的にわかりやすくすることが課題になっていた。
【先行技術文献】
【特許文献】
【０００５】
【特許文献１】特開２００４−７８４１４号公報
【発明の概要】
【発明が解決しようとする課題】
【０００６】
このため、電子機器間の通信接続状態を、ユーザに、直感的にわかりやすくすることが課題になっていた。
【課題を解決するための手段】
【０００７】
実施形態の電子機器は、外部機器との通信が接続可能な接続部を備える。
【０００８】
また、前記外部機器と同期していることを示す表示の表示指示を受信した場合に、前記外部機器から出力された同期データを受信し、時間差からこの受信した同期データ間のインターバルを取得するインターバル取得部を備える。
【０００９】
また、予め設定されている表示を前記取得されたインターバルで変化しているように出力する出力部を備える。
【図面の簡単な説明】
【００１０】
【図１】実施形態に係わる電子機器と他の電子機器が接続されるようすを示す図。
【図２】実施形態に係わる電子機器の構成の一例を示すブロック図。
【図３】実施形態に係わる電子機器と他の電子機器の同期のための通信を行い、それぞれの表示（ＵＩ）のタイミングをそろえるためのタイミングチャートの一例を示す図。
【図４】実施形態に係わる電子機器と他の電子機器の同期表示の一例を示す図。
【図５】実施形態に係わる電子機器と他の電子機器の同期表示の一例を示す図。
【図６】実施形態に係わる電子機器と他の電子機器の同期表示の一例を示す図。
【図７】実施形態に係わる電子機器と他の電子機器の同期表示の一例を示す図。
【図８】実施形態に係わる電子機器と他の電子機器の同期表示の一例を示す図。
【図９】実施形態に係わる電子機器と接続される他の電子機器の動作を説明するフローチャート。
【図１０】実施形態に係わる電子機器の動作を説明するフローチャート。
【発明を実施するための形態】
【００１１】
以下、図面を参照し、実施の形態を説明する。
【００１２】
図１は、実施形態に係わる電子機器と他の電子機器が接続されるようすを示す図である。
【００１３】
この実施形態においては、図１に示すように、例えば、電子機器Ａ（タブレットＰＣ）１０Ａと他の電子機器Ｂ（タブレットＰＣ）１０Ｂは、例えば、無線ＬＡＮで接続される。
【００１４】
無線ＬＡＮとは、例えば、無線通信を利用してデータの送受信を行うＬＡＮシステムのことである。他に、ワイヤレスＬＡＮ（Ｗｉｒｅｌｅｓｓ  ＬＡＮ、ＷａｖｅＬＡＮ）や、それを略してＷＬＡＮとも呼ばれることがある。
【００１５】
無線ＬＡＮには多くの方式があり、例えば、ＩＥＥＥ ８０２．１１シリーズ等が普及している。パーソナルコンピュータや携帯情報端末（ＰＤＡ、Personal Digital Assistantまたは、Personal Data Assistance）等で利用される。
【００１６】
またＷｉ−Ｆｉ（ワイファイ）とも呼ばれることがあるが、これはＩＥＥＥ ８０２．１１機器に関する業界団体であるＷｉ−Ｆｉ Ａｌｌｉａｎｃｅによる相互接続性の認定の名称である。
【００１７】
なお、ここでは、電子機器（電子機器Ａ（１０Ａ）や他の電子機器Ｂ（１０Ｂ））の一例としてタブレットＰＣを用いて説明を行うが、これに限られることはなく、この実施形態は、ノート型のパーソナルコンピュータ（ＰＣ）、スマートフォン、携帯電話等の電子機器、携帯型のテレビ等に適用することも可能である。
【００１８】
図２は、実施形態に係わる電子機器の構成の一例を示すブロック図である。
【００１９】
この電子機器Ａ（１０Ａ）は、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ ｅｒａｓａｂｌｅ ｐｒｏｇｒａｍｍａｂｌｅ ＲＯＭ）１１４等を備えている。
【００２０】
ＣＰＵ１０１は、電子機器Ａ（１０Ａ）内の各部の動作を制御するプロセッサである。
【００２１】
ＣＰＵ１０１は、ＢＩＯＳ−ＲＯＭ１０７に格納されたＢＩＯＳを実行する。ＢＩＯＳは、ハードウェア制御のためのプログラムである。
【００２２】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、ＰＣＩ ＥＸＰＲＥＳＳ規格のシリアルバスなどを介してＧＰＵ１０５との通信を実行する機能も有している。
【００２３】
ＧＰＵ１０５は、電子機器Ａ（１０Ａ）のディスプレイモニタとして使用される映像表示部（ＬＣＤ）１７を制御する表示コントローラである。
【００２４】
このＧＰＵ１０５によって生成される表示信号は映像表示部（ＬＣＤ）１７に送られる。また、ＧＰＵ１０５は、ＨＤＭＩ制御回路３およびＨＤＭＩ端子２を介して、外部ディスプレイ１にデジタル映像信号を送出することもできる。
【００２５】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００２６】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００２７】
さらに、サウスブリッジ１０４は、サウンドコントローラ１０６との通信を実行する機能も有している。
【００２８】
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばＩＥＥＥ８０２．３規格の有線通信を実行する有線通信デバイスであり、一方、無線ＬＡＮコントローラ１１２は、例えばＩＥＥＥ８０２．１１ｇ規格の無線通信を実行する無線通信デバイスである。ＵＳＢコントローラ１１１Ａは、（ＵＳＢコネクタ１９を介して接続される）例えばＵＳＢ２．０規格に対応した外部機器との通信を実行する。
【００２９】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００３０】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器Ａ（１０Ａ）を電源オン／電源オフする機能を有している。
【００３１】
この実施の形態における表示制御は、例えばＣＰＵ１０１が主メモリ１０３やＨＤＤ１０９等に記録されたプログラムを実行させることにより行われる。
【００３２】
なお、上記説明は一例であり、この実施形態に係る電子機器は、上記構成とは異なるハードウェアで構成することも可能である。
【００３３】
図３は、実施形態に係わる電子機器と他の電子機器の同期のための通信を行い、それぞれの表示（ＵＩ）のタイミングをそろえるためのタイミングチャートの一例を示す図である。
【００３４】
この実施形態においては、例えば、実施形態に係わる電子機器と他の電子機器のＵＩ（ユーザインターフェース）やアニメーションの同期をとり、後述するように、２台の接続状態を直感的に表示する。
【００３５】
ここでは、無線ＬＡＮ接続の一例として、ＮＦＣ(ｎｅａｒ ｆｉｅｌｄ ｃｏｍｍｕｎｉｃａｔｉｏｎ、近接無線接続)が用いられる。
【００３６】
近距離無線通信は、到達距離の短い無線通信を指し、通信エリアは、例えば、およそ1メートルから数センチ程度の短距離である。
【００３７】
近距離無線通信は、例えば、「非接触通信」と同等である。ＦｅｌｉＣａ、ＩＳＯ／ＩＥＣ １４４４３（ＭＩＦＡＲＥ）、ＩＳＯ／ＩＥＣ １８０９２等も「非接触通信」に含まれる。
【００３８】
この実施形態においては、例えば、電子機器Ａ（１０Ａ）と他の電子機器Ｂ（１０Ｂ）が上記ＮＦＣ(近接無線接続)で接続状態となった場合、リアルタイムにデータを交換することが可能である。
【００３９】
このため、例えば、同期のための通信を定期的に行い、それぞれのＵＩのタイミングをそろえることができる。
【００４０】
図３（ａ）は、この実施形態に係る上記同期のための通信の一例を示す図である。
【００４１】
この実施形態においては、図３（ａ）に示すように、電子機器Ａ（１０Ａ）は、予め設定されたＵＩまたはアニメーション（アニメーションＡ）を、映像表示部Ａ（ＬＣＤ）１７Ａに、インターバル「時間ｔ」３１で変化しているように、「１サイクル目」、「２サイクル目」のように表示出力する。
【００４２】
上記インターバル「時間ｔ」３１で変化するような表示出力は、後述するように、例えば、点灯、点滅、移動等である。
【００４３】
また、上記ＵＩまたはアニメーション、およびインターバル「時間ｔ」は、例えば、ＥＥＰＲＯＭ１１４に、予め記憶されている。
【００４４】
このとき、上記「１サイクル目」、「２サイクル目」等の表示の最初のタイミングにおいて、電子機器Ａ（１０Ａ）から電子機器Ｂ（１０Ｂ）に向けて、逐次、同期データが送信される。
【００４５】
電子機器Ｂ（１０Ｂ）は、上記電子機器Ａ（１０Ａ）から送信された上記「１サイクル目」、「２サイクル目」の同期データを受信し、これら同期データの時間差「ｔ１」３２をインターバルとして取得する。
【００４６】
ここでは、電子機器Ｂ（１０Ｂ）は、上記と同様に、電子機器Ｂ（１０Ｂ）のＥＥＰＲＯＭ等に記憶され、予め設定されたＵＩまたはアニメーション（アニメーションＢ）を、映像表示部Ｂ（ＬＣＤ）１７Ｂに、「１サイクル目」はインターバル「時間ｔ」３１で変化しているように、「２サイクル目」は、上記取得されたインターバル（同期データの時間差「ｔ１」）で変化しているように、表示出力する。
【００４７】
すなわち、上記同期データの受信側（電子機器Ｂ（１０Ｂ））は、上記同期データ間の到着時刻「ｔ１」３２を計測し、以降のアニメーションのインターバルにはこの「ｔ１」３２を使用する。
【００４８】
また、この「ｔ１」３２は、同期データが到着するたびに更新する。
【００４９】
なお、過去に受信した「ｔ１」３２を積算し、平均化しても良い。
【００５０】
図３（ｂ）は、上記図３（ａ）に加え、電子機器Ａ（１０Ａ）において、上記アニメーションＡを表示出力する際に、上記「１サイクル目」のインターバル「時間ｔ」３１の前に、遅延時間（ディレイ＝ｄ）３４を設ける例を示す図である。
【００５１】
このとき、電子機器Ｂ（１０Ａ）においても、上記アニメーションＢを表示出力する際に、上記「１サイクル目」のインターバル「時間ｔ」３１の前に、遅延時間（ディレイ＝ｄ）３４が設けられる。
【００５２】
このように構成することにより、上記「１サイクル目」のアニメーションＡの表示出力および上記「１サイクル目」のアニメーションＢの表示出力の表示が欠けたりする不具合を防止することが可能になる。
【００５３】
上記のように、この実施形態においては、例えば、実施形態に係わる電子機器Ａ（１０Ａ）と他の電子機器Ｂ（１０Ｂ）の同期のための通信を行い、それぞれの表示（ＵＩ）の同期タイミングが揃えられる。
【００５４】
図４は、実施形態に係わる電子機器と他の電子機器の同期表示の一例を示す図である。
【００５５】
ここでは、一例として、電子機器Ａ（１０Ａ）の映像表示部Ａ（ＬＣＤ）１７Ａと電子機器Ｂ（１０Ｂ）の映像表示部Ｂ（ＬＣＤ）１７Ｂに、同じ表示が同期して、同じタイミングで表示される。
【００５６】
すなわち、映像表示部Ａ（ＬＣＤ）１７Ａには、端子４２Ａが右から移動し、プラグ４１Ａに近づくアニメーションが表示される。
【００５７】
また、映像表示部Ｂ（ＬＣＤ）１７Ｂには、上記のように無線接続された電子機器Ａ（１０Ａ）と上記のように同期タイミングが揃えられ、端子４２Ｂが右から移動し、プラグ４１Ｂに近づくアニメーションが表示される。
【００５８】
すなわち、ここでは、上記のように、電子機器Ａ（１０Ａ）と電子機器Ｂ（１０Ｂ）は無線ＬＡＮで接続されている。
【００５９】
また、電子機器Ａ（１０Ａ）と電子機器Ｂ（１０Ｂ）の両者のアニメーションが、同じタイミングで表示される。
【００６０】
これにより、電子機器Ａ（１０Ａ）と電子機器Ｂ（１０Ｂ）の両者が接続されていることを直感的に示している。
【００６１】
図５は、実施形態に係わる電子機器と他の電子機器の同期表示の一例を示す図である。
【００６２】
ここでは、一例として、電子機器Ａ（１０Ａ）の映像表示部Ａ（ＬＣＤ）１７Ａと電子機器Ｂ（１０Ｂ）の映像表示部Ｂ（ＬＣＤ）１７Ｂに、同じ表示が同期して、同じタイミングで表示される。
【００６３】
すなわち、映像表示部Ａ（ＬＣＤ）１７Ａには、波５１Ａが左から右へ移動するアニメーションが表示される。
【００６４】
また、映像表示部Ｂ（ＬＣＤ）１７Ｂには、上記のように無線接続された電子機器Ａ（１０Ａ）と上記のように同期タイミングが揃えられ、波５１Ｂが左から右へ移動するアニメーションが表示される。
【００６５】
すなわち、ここでは、上記のように、電子機器Ａ（１０Ａ）と電子機器Ｂ（１０Ｂ）は無線ＬＡＮで接続されている。
【００６６】
また、電子機器Ａ（１０Ａ）と電子機器Ｂ（１０Ｂ）の両者のアニメーションが、同じタイミングで表示される。
【００６７】
すなわち、電子機器Ａ（１０Ａ）と電子機器Ｂ（１０Ｂ）を２台並べると、波（５１Ａ、５１Ｂ）のアニメーションで時系列的につながって表示される。
【００６８】
これにより、電子機器Ａ（１０Ａ）と電子機器Ｂ（１０Ｂ）の両者が接続されていることを直感的に示している。
【００６９】
図６は、実施形態に係わる電子機器と他の電子機器の同期表示の一例を示す図である。
【００７０】
ここでは、一例として、電子機器Ａ（１０Ａ）の映像表示部Ａ（ＬＣＤ）１７Ａと電子機器Ｂ（１０Ｂ）の映像表示部Ｂ（ＬＣＤ）１７Ｂに、同じ表示が同期して、同じタイミングで表示される。
【００７１】
すなわち、映像表示部Ａ（ＬＣＤ）１７Ａには、端子４２Ａが右から移動し、プラグ４１Ａに近づくアニメーションが表示される。
【００７２】
また、映像表示部Ｂ（ＬＣＤ）１７Ｂには、上記のように無線接続された電子機器Ａ（１０Ａ）と上記のように同期タイミングが揃えられ、電子機器Ａ（１０Ａ）と電子機器Ｂ（１０Ｂ）の両者共、表示画面の背景でアニメーション（線６１Ａ、線６１Ｂ）が同期して移動してするアニメーションが表示される。
【００７３】
すなわち、ここでは、上記のように、電子機器Ａ（１０Ａ）と電子機器Ｂ（１０Ｂ）は無線ＬＡＮで接続されている。
【００７４】
また、電子機器Ａ（１０Ａ）と電子機器Ｂ（１０Ｂ）が接続された状態で動作するアプリケーション（６２Ａ、６２Ｂ）が表示される。
【００７５】
これにより、電子機器Ａ（１０Ａ）と電子機器Ｂ（１０Ｂ）の両者が接続されていることを直感的に示している。
【００７６】
図７は、実施形態に係わる電子機器と他の電子機器の同期表示の一例を示す図である。
【００７７】
ここでは、一例として、電子機器Ａ（１０Ａ）の映像表示部Ａ（ＬＣＤ）１７Ａと電子機器Ｂ（１０Ｂ）の映像表示部Ｂ（ＬＣＤ）１７Ｂに、同じ表示が同期して、交互のタイミングで表示される。
【００７８】
すなわち、映像表示部Ａ（ＬＣＤ）１７Ａには、電子機器Ａ（１０Ａ）と電子機器Ｂ（１０Ｂ）、両者の「接続中」アイコンもしくはステータス表示（７１Ａ、７１Ｂ）が交互に、点灯または点滅して表示される。
【００７９】
すなわち、ここでは、上記のように、電子機器Ａ（１０Ａ）と電子機器Ｂ（１０Ｂ）は無線ＬＡＮで接続されている。
【００８０】
また、電子機器Ａ（１０Ａ）と電子機器Ｂ（１０Ｂ）の両者のアニメーション、すなわち、「接続中」アイコンもしくはステータス表示（７１Ａ、７１Ｂ）が交互に点灯（点滅）して表示される。
【００８１】
なお、上記「接続中」アイコンもしくはステータス表示（７１Ａ、７１Ｂ）を同じ周期、タイミングで点灯（点滅）することも可能である。
【００８２】
これにより、電子機器Ａ（１０Ａ）と電子機器Ｂ（１０Ｂ）の両者が接続されていることを直感的に示している。
【００８３】
図８は、実施形態に係わる電子機器と他の電子機器の同期表示の一例を示す図である。
【００８４】
図８（ａ）は、実施形態に係わる電子機器（ＰＣＡ（デスクトップＰＣ）１０Ａ）と他の電子機器（電子機器Ｂ（タブレットＰＣ（１０Ｂ）））の同期表示の一例を示す図である。
【００８５】
ここでは、上記と同様に、電子機器（ＰＣＡ（デスクトップＰＣ）１０Ａ）の映像表示部Ａ（ＬＣＤ）１７Ａと他の電子機器（電子機器Ｂ（タブレットＰＣ（１０Ｂ）））の映像表示部Ｂ（ＬＣＤ）１７Ｂに、同じ表示が同期して、交互のタイミングで表示される。
【００８６】
これにより、電子機器Ａ（１０Ａ）と電子機器Ｂ（１０Ｂ）の両者が接続されていることを直感的に示している。
【００８７】
図８（ｂ）は、実施形態に係わる電子機器（時計１０Ａ）と他の電子機器（電子機器Ｂ（タブレットＰＣ（１０Ｂ）））の同期表示の一例を示す図である。
【００８８】
ここでは、電子機器（時計１０Ａ）の表示部にＬＥＤ８２Ａが用いられている。
【００８９】
そして、この電子機器（時計１０Ａ）の表示部（ＬＥＤ８２Ａ）と他の電子機器（電子機器Ｂ（タブレットＰＣ（１０Ｂ）））の映像表示部Ｂ（ＬＣＤ）１７Ｂが同期したタイミングで表示される。
【００９０】
これにより、電子機器Ａ（１０Ａ）と電子機器Ｂ（１０Ｂ）の両者が接続されていることを直感的に示している。
【００９１】
図８（ｃ）は、実施形態に係わる電子機器Ａ（１０Ａ）と他の電子機器（電子機器Ｂ（１０Ｂ））の同期表示の一例を示す図である。
【００９２】
ここでは、上術したタイミングチャートの同期データに、タブレット（電子機器Ａ（１０Ａ）と電子機器Ｂ（１０Ｂ））の姿勢情報(ここではアニメーションの回転角)を送信および受信することにより、２台のタブレットのアニメーションを姿勢に応じて同期させる例を示している。
【００９３】
ここで、この実施形態に係るアニメーションの回転角の算出方法を説明する。
【００９４】
ここでは、タブレットの平面上にＸ軸およびＹ軸を置くとする。その状態で、重力のベクトルのｘ成分、ｙ成分を検出する。
【００９５】
この検出されたｘ成分、ｙ成分から、画面がどれだけ回転しているかを判別し、タブレットＢ（電子機器Ｂ（１０Ｂ）について、タブレットＡ（電子機器Ａ（１０Ａ））と見え方が同じになるように画面を回転させる。
【００９６】
ここでは、Ｒａ＝タブレットＡの画面回転角、Ｒａ’＝タブレットＢの重力ベクトルから算出した回転角の補正値、Ｒｂ＝タブレットＢの画面回転角、Ｒｂ’＝タブレットＢの重力ベクトルから算出した回転角の補正値、Ｒａ ＝ ０、Ｒｂ ＝ Ｒｂ’＋Ｒａ’である。
【００９７】
また、応用例として、加速度センサ（図示せず）のＺ軸を用いたり、コンパスを用いて３次元的に同期をとったりしても良い。
【００９８】
図９は、実施形態に係わる電子機器（電子機器Ａ（１０Ａ））と接続される他の電子機器（電子機器Ｂ（１０Ｂ））の動作を説明するフローチャートである。
【００９９】
ステップＳ１００は、ここでの開始ステップである。続いて、ステップＳ１０１に進む。
【０１００】
ステップＳ１０１は、電子機器Ａ（１０Ａ）が電子機器Ｂ（１０Ｂ）と無線接続するステップである。電子機器Ａ（１０Ａ）と電子機器Ｂ（１０Ｂ）は、例えば、無線ＬＡＮで接続される。続いて、ステップＳ１０２に進む。
【０１０１】
ステップＳ１０２は、電子機器Ａ（１０Ａ）が電子機器Ｂ（１０Ｂ）との上記同期の表示を指示されたかを判別するステップである。電子機器Ａ（１０Ａ）が電子機器Ｂ（１０Ｂ）との上記同期の表示を指示されたと判別される場合は、ステップＳ１０３に進む（Ｙｅｓ）。電子機器Ａ（１０Ａ）が電子機器Ｂ（１０Ｂ）との上記同期の表示を指示されないと判別される場合は、ここでの処理を繰り返す（Ｎｏ）。
【０１０２】
ステップＳ１０３は、電子機器Ｂ（１０Ｂ）に向け、予め設定されているインターバルｔ（第１のインターバル）で同期データを送信するステップである。続いて、ステップＳ１０４に進む。
【０１０３】
ステップＳ１０４は、上記のように、予め設定されているアニメーションＡ（第１の表示）を、上記のように、インターバルｔ（第１のインターバル）で変化しているように、映像表示部１７Ａに表示するステップである。上記のように、例えば、点灯、点滅、移動である。続いて、ここでのステップを繰り返す。
【０１０４】
図１０は、実施形態に係わる電子機器の動作を説明するフローチャートである。
【０１０５】
ステップＳ２００は、ここでの開始ステップである。続いて、ステップＳ２０１に進む。
【０１０６】
ステップＳ２０１は、電子機器Ａ（１０Ａ）と無線接続するステップである。ここでは、例えば、無線ＬＡＮせつぞくされる。続いて、ステップＳ２０２に進む。
【０１０７】
ステップＳ２０２は、電子機器Ａ（１０Ａ）との同期表示が指示されたかを判別する
ステップである。電子機器Ａ（１０Ａ）との同期表示が指示されたと判別される場合は、ステップＳ２０３に進む（Ｙｅｓ）。電子機器Ａ（１０Ａ）との同期表示が指示されないと判別される場合は、ここでの処理を繰り返す（Ｎｏ）。
【０１０８】
ステップＳ２０３は、上記のように、予め設定されているアニメーションＢ（第２の表示）を、１サイクル目は、設定されているインターバルｔ（第１のインターバル）で変化しているように表示するステップである。上記のように、例えば、点灯、点滅、移動である。続いて、ステップＳ２０４に進む。
【０１０９】
ステップＳ２０４は、電子機器Ａ（１０Ａ）から出力された同期データを受信し、実際に受信した同期データ間のインターバルｔ１（第２のインターバル）を取得するステップである。ここでは、インターバルｔ１（第２のインターバル）は、例えば、上記１サイクル目の初めと２サイクル目の初めの時間差である。続いて、ステップＳ２０５に進む。
【０１１０】
ステップＳ２０５は、上記予め設定されているアニメーションＢ（第２の表示）を、２サイクル目は、上記取得されたインターバルｔ１（第２のインターバル）で変化しているように、映像表示部１７Ｂに表示するステップである。例えば、点灯、点滅、移動である。続いて、ここでの処理を繰り返す。
【０１１１】
すなわち、この実施形態においては、電子機器Ｂ（１０Ｂ）は、外部機器（電子機器Ａ（１０Ａ））との通信が接続可能な接続部（無線ＬＡＮコントローラ１１２）を備えている。
【０１１２】
また、上記外部機器（電子機器Ａ（１０Ａ））と同期していることを示す表示の表示指示を受信した場合に、上記外部機器（電子機器Ａ（１０Ａ））から出力された同期データを受信し、時間差からこの受信した同期データ間のインターバルを取得するインターバル取得部（ＣＰＵ１０１）を備えている。
【０１１３】
また、予め設定されている表示を上記取得されたインターバルで変化しているように出力する出力部（映像表示部Ｂ（１７Ｂ））を備えている。
【０１１４】
また、上記予め設定されている表示を予め設定されているインターバルで変化しているように出力した後に、上記取得されたインターバルで変化しているように出力する。
【０１１５】
また、上記予め設定されている表示を予め設定されているインターバルで変化しているように出力した後の、上記取得されたインターバルで変化するような出力は、予め設けられた所定の遅延時間後に出力される。
【０１１６】
また、上記外部機器に予め設定されている表示の出力タイミングと上記電子機器に予め設定されている表示の出力タイミングは、実質的に同じタイミングで出力される。
【０１１７】
また、上記外部機器に予め設定されている表示の出力タイミングと上記電子機器に予め設定されている表示の出力タイミングは、実質的に交互のタイミングで出力される。
【０１１８】
上記のように構成することによって、この実施形態においては、電子機器間の通信接続状態を、ユーザに、直感的にわかりやすくすることが可能になる。
【０１１９】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１２０】
なお、上記実施形態は、記述そのものに限定されるものではなく、実施段階では、その趣旨を逸脱しない範囲で、構成要素を種々変形して具体化することが可能である。
【０１２１】
また、上記実施形態に開示されている複数の構成要素の適宜な組み合せにより種々の発明を形成できる。
【０１２２】
例えば、実施形態に示される全構成要素から幾つかの構成要素を削除してもよい。更に、異なる実施形態に亘る構成要素を適宜組み合せてもよい。
【符号の説明】
【０１２３】
１０Ａ…電子機器、１０Ｂ…電子機器、１７Ａ…映像表示部、１７Ｂ…映像表示部。
【図１】
2013207425.tif 000003
【図２】
2013207425.tif 000004
【図３】
2013207425.tif 000005
【図４】
2013207425.tif 000006
【図５】
2013207425.tif 000007
【図６】
2013207425.tif 000008
【図７】
2013207425.tif 000009
【図８】
2013207425.tif 000010
【図９】
2013207425.tif 000011
【図１０】
2013207425.tif 000012
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
外部機器と無線通信可能な通信部と、
前記外部機器との間で無線通信の接続が確立する前に、第１の動画を画面上に表示する表示制御部と、
前記外部機器との間で無線通信の接続が確立した後に、前記外部機器の画面上で無線通信の接続が確立した後に表示される第２の動画に応じて定められる第３の動画を表示するために用いられる第１情報を取得する取得部と、を備え、
前記表示制御部は、前記外部機器との間で無線通信の接続が確立した後に、前記第１情報を用いて、前記第３の動画を画面上に表示するものである電子機器。
【請求項２】
前記第１情報は、動画のインターバルに関する情報であって、
前記第１の動画は、第１のインターバルで変化する動画であって、
前記第３の動画は、前記第１のインターバルと異なり、前記第２の動画のインターバルに対応するインターバルで変化する動画である請求項１に記載の電子機器。
【請求項３】
前記予め設定されている表示を予め設定されている前記第１のインターバルで変化しているように出力した後に、取得された第２のインターバルで変化しているように出力する請求項２に記載の電子機器。
【請求項４】
前記予め設定されている表示を予め設定されている前記第１のインターバルで変化しているように出力した後の、前記取得された第２のインターバルで変化するような出力は、予め設けられた所定の遅延時間後に出力される請求項２または３に記載の電子機器。
【請求項５】
前記外部機器に予め設定されている表示の出力タイミングと前記電子機器に予め設定されている表示の出力タイミングは、実質的に同じタイミングで出力される請求項１に記載の電子機器。
【請求項６】
前記外部機器に予め設定されている表示の出力タイミングと前記電子機器に予め設定されている表示の出力タイミングは、実質的に交互のタイミングで出力される請求項１に記載の電子機器。
【請求項７】
外部機器と無線通信の接続を確立するためのステップと、
前記外部機器との間で無線通信の接続が確立する前に、第１の動画を画面上に表示するステップと、
前記外部機器との間で無線通信の接続が確立した後に、前記外部機器の画面上で無線通信の接続が確立した後に表示される第２の動画に応じて定められる第３の動画を表示するために用いられる第１情報を取得するステップと、
前記外部機器との間で無線通信の接続が確立した後に、前記第１情報を用いて、前記第３の動画を画面上に表示するステップを備える電子機器の制御方法。
【請求項８】
前記第１情報は、動画のインターバルに関する情報であって、
前記第１の動画は、第１のインターバルで変化する動画であって、
前記第３の動画は、前記第１のインターバルと異なり、前記第２の動画のインターバルに対応するインターバルで変化する動画である請求項１に記載の電子機器の制御方法。
【請求項９】
前記予め設定されている表示を予め設定されている前記第１のインターバルで変化しているように出力した後に、取得された第２のインターバルで変化しているように出力する請求項８に記載の電子機器の制御方法。
【請求項１０】
前記予め設定されている表示を予め設定されている前記第１のインターバルで変化しているように出力した後の、前記取得された第２のインターバルで変化するような出力は、予め設けられた所定の遅延時間後に出力される請求項８または９に記載の電子機器の制御方法。
【請求項１１】
前記外部機器に予め設定されている表示の出力タイミングと前記電子機器に予め設定されている表示の出力タイミングは、実質的に同じタイミングで出力される請求項７に記載の電子機器の制御方法。
【請求項１２】
前記外部機器に予め設定されている表示の出力タイミングと前記電子機器に予め設定されている表示の出力タイミングは、実質的に交互のタイミングで出力される請求項７に記載の電子機器の制御方法。
【請求項１３】
外部機器と無線通信の接続を確立するためのステップと、
前記外部機器との間で無線通信の接続が確立する前に、第１の動画を画面上に表示するステップと、
前記外部機器との間で無線通信の接続が確立した後に、前記外部機器の画面上で無線通信の接続が確立した後に表示される第２の動画に応じて定められる第３の動画を表示するために用いられる第１情報を取得するステップと、
前記外部機器との間で無線通信の接続が確立した後に、前記第１情報を用いて、前記第３の動画を画面上に表示するステップを、電子機器に実行させるための制御プログラム。
【請求項１４】
前記第１情報は、動画のインターバルに関する情報であって、
前記第１の動画は、第１のインターバルで変化する動画であって、
前記第３の動画は、前記第１のインターバルと異なり、前記第２の動画のインターバルに対応するインターバルで変化する動画である請求項１３に記載の電子機器に実行させるための制御プログラム。
【請求項１５】
前記予め設定されている表示を予め設定されている前記第１のインターバルで変化しているように出力した後に、取得された第２のインターバルで変化しているように出力する請求項１４に記載の電子機器に実行させるための制御プログラム。
【請求項１６】
前記予め設定されている表示を予め設定されている前記第１のインターバルで変化しているように出力した後の、前記取得された第２のインターバルで変化するような出力は、予め設けられた所定の遅延時間後に出力される請求項１４または１５に記載の電子機器に実行させるための制御プログラム。
【請求項１７】
前記外部機器に予め設定されている表示の出力タイミングと前記電子機器に予め設定されている表示の出力タイミングは、実質的に同じタイミングで出力される請求項１３に記載の電子機器に実行させるための制御プログラム。
【請求項１８】
前記外部機器に予め設定されている表示の出力タイミングと前記電子機器に予め設定されている表示の出力タイミングは、実質的に交互のタイミングで出力される請求項１３に記載の電子機器に実行させるための制御プログラム。
【手続補正２】
【補正対象書類名】明細書
【補正対象項目名】０００７
【補正方法】変更
【補正の内容】
【０００７】
実施形態の電子機器は、外部機器と無線通信可能な通信部を備える。
また、前記外部機器との間で無線通信の接続が確立する前に、第１の動画を画面上に表示する表示制御部を備える。
【手続補正３】
【補正対象書類名】明細書
【補正対象項目名】０００８
【補正方法】変更
【補正の内容】
【０００８】
また、前記外部機器との間で無線通信の接続が確立した後に、前記外部機器の画面上で無線通信の接続が確立した後に表示される第２の動画に応じて定められる第３の動画を表示するために用いられる第１情報を取得する取得部を備える。
【手続補正４】
【補正対象書類名】明細書
【補正対象項目名】０００９
【補正方法】変更
【補正の内容】
【０００９】
また、前記表示制御部は、前記外部機器との間で無線通信の接続が確立した後に、前記第１情報を用いて、前記第３の動画を画面上に表示する。